(57)【特許請求の範囲】
【請求項１】
車体に支持され、バルブを内有してこのバルブによる照射方向に開口が形成されるランプハウジングと、上記開口を閉じるよう設けられる透明のレンズと、このレンズから上記ランプハウジング側に向かって一体的に突出し、このランプハウジング側に形成された係止部に係止される係止突起とを備えた車両用ランプにおいて、
上記バルブによる照射方向に直交する視線で見た上記レンズの自由状態で、このレンズを、上記バルブ側に円弧中心を有する円弧形状とし、上記レンズがその円弧形状から平坦形状に向かうよう弾性変形した状態で、その弾性に基づく復元力により、上記係止部に係止突起が圧接して係止されるようにしたことを特徴とする車両用ランプ。
【発明の詳細な説明】
【技術分野】
【０００１】
本発明は、バルブを内有するランプハウジング側に係止されて，このランプハウジングの開口を閉じるレンズを備えた車両用ランプに関するものである。
【背景技術】
【０００２】
上記車両用ランプには、従来、下記特許文献１に示されるものがある。この公報のものによれば、車両用ランプは、車体に支持され、バルブを内有してこのバルブによる照射方向に開口が形成されるランプハウジングと、上記開口を閉じるよう設けられる透明のレンズと、このレンズから上記ランプハウジング側に向かって一体的に突出し、このランプハウジング側に形成された係止部に係止される係止突起とを備えている。そして、上記バルブの照射光は、上記レンズを透過し、ランプの外方に向かって照射される。
【０００３】
上記ランプの組立作業をする場合には、バルブを内有したランプハウジングの開口を閉じるようこの開口にレンズを接近させる。そして、この際、上記ランプハウジング側の係止部に対し、上記レンズから突出した係止突起を弾性的に撓ませて係止させる。すると、上記ランプハウジングの開口が上記レンズにより閉じられると共に、このレンズがランプハウジングに取り付けられて、上記組立作業が終わる。
【特許文献１】特開平９−９９７７７号公報
【発明の開示】
【発明が解決しようとする課題】
【０００４】
ところで、上記組立作業において、係止突起を係止部に係止させる場合、上記したように係止突起は弾性的に撓ませることが要求される。このため、この撓みを十分に得る上で、上記レンズからの係止突起の突出寸法は、ある程度大きくすることが要求される。
【０００５】
しかし、上記係止突起の突出寸法を大きくすると、次のような問題点が生じてくる。即ち、上記係止突起はランプハウジング側に向かって突出しており、この突出方向は、人がランプを見る場合の視線の方向とほぼ合致する。また、上記したように、ランプのレンズは透明体である。
【０００６】
このため、上記視線でランプのレンズを見た場合、上記係止突起の突出寸法が大きいと、その分、この係止突起の突出位置におけるレンズの部分の色調は、このレンズの部分の周りの色調に比べて、濃くなりがちである。よって、上記レンズを全体的に見たとき、このレンズの各部の色調が無用に不均一となって、ランプの外観上の見栄えが低下するおそれを生じる。
【課題を解決するための手段】
【０００７】
本発明は、上記のような事情に注目してなされたもので、本発明の目的は、車両用ランプの外観上の見栄えを向上させるようにすることである。
【０００８】
請求項１の発明は、車体２に支持され、バルブ５を内有してこのバルブ５による照射方向Ａに開口６が形成されるランプハウジング７と、上記開口６を閉じるよう設けられる透明のレンズ８と、このレンズ８から上記ランプハウジング７側に向かって一体的に突出し、このランプハウジング７側に形成された係止部１６に係止される係止突起１８とを備えた車両用ランプにおいて、
上記バルブ５による照射方向Ａに直交する視線で見た上記レンズ８の自由状態で（図１中一点鎖線）、このレンズ８を、上記バルブ５側に円弧中心を有する円弧形状とし、上記レンズ８がその円弧形状から平坦形状に向かうよう弾性変形した状態（図１中実線）で、その弾性に基づく復元力により、上記係止部１６に係止突起１８が圧接して係止されるようにしたことを特徴とする車両用ランプである。
【０００９】
なお、この項において、上記各用語に付記した符号や図面番号は、本発明の技術的範囲を後述の「実施例」の項や図面の内容に限定解釈するものではない。
【発明の効果】
【００１０】
本発明による効果は、次の如くである。
【００１１】
請求項１の発明は、車体に支持され、バルブを内有してこのバルブによる照射方向に開口が形成されるランプハウジングと、上記開口を閉じるよう設けられる透明のレンズと、このレンズから上記ランプハウジング側に向かって一体的に突出し、このランプハウジング側に形成された係止部に係止される係止突起とを備えた車両用ランプにおいて、
上記バルブによる照射方向に直交する視線で見た上記レンズの自由状態で、このレンズを、上記バルブ側に円弧中心を有する円弧形状とし、上記レンズがその円弧形状から平坦形状に向かうよう弾性変形した状態で、その弾性に基づく復元力により、上記係止部に係止突起が圧接して係止されるようにしている。
【００１２】
このため、上記係止部と係止突起とによるランプハウジング側へのレンズの係止は、このレンズ自体が有する弾性を利用することにより達成される。よって、前記従来の技術では、上記係止を得る上で、係止突起を弾性的に撓ませようとして、この係止突起の突出寸法を、ある程度大きくすることが要求されたが、本発明によれば、上記レンズ自体の弾性を利用することにより、上記した係止突起の弾性的な撓みをほとんど不要にしたのであり、これにより、この係止突起の突出寸法を小さく抑制できる。
【００１３】
この結果、第１に、上記係止突起の突出方向とほぼ同じ視線でランプのレンズを見た場合、上記係止突起の突出寸法が小さい分、この係止突起の突出位置におけるレンズの部分の色調が濃くなることは防止される。このため、このレンズの部分の周りの他部分の色調が薄いとしても、このレンズの各部の色調が無用に不均一になるということは防止されて、ランプの外観上の見栄えが向上する。
【００１４】
また、第２に、上記したように、係止突起を弾性的に撓ませることはほとんど不要であるため、この係止突起を撓み易くさせようとして、この係止突起に脆弱部を設ける、などの複雑な加工は不要である。よって、その分、ランプの形成が容易にできる。
【発明を実施するための最良の形態】
【００１５】
本発明の車両用ランプに関し、車両用ランプの外観上の見栄えを向上させるようにする、という目的を実現するため、本発明を実施するための最良の形態は、次の如くである。
【００１６】
即ち、車両用ランプは、車体に支持され、バルブを内有してこのバルブによる照射方向に開口が形成されるランプハウジングと、上記開口を閉じるよう設けられる透明のレンズと、このレンズから上記ランプハウジング側に向かって一体的に突出し、このランプハウジング側に形成された係止部に係止される係止突起とを備える。
【００１７】
上記バルブによる照射方向に直交する視線で見た上記レンズの自由状態で、このレンズを、上記バルブ側に円弧中心を有する円弧形状とし、上記レンズがその円弧形状から平坦形状に向かうよう弾性変形した状態で、その弾性に基づく復元力により、上記係止部に係止突起が圧接して係止されるようになっている。
【実施例１】
【００１８】
本発明をより詳細に説明するために、その実施例１を添付の図１〜３に従って説明する。
【００１９】
図１〜３において、符号１は車両の一例である自動車であって、各図はこの自動車１の後右側部を示している。また、矢印Ｆｒは、この自動車１の進行方向の前方を示している。また、左右とは、上記前方に向かっての車体２の幅方向をいうものとする。
【００２０】
上記自動車１の後右側部は、板金製の車体２と、この車体２に取り付けられるリヤコンビランプ３とを備えている。このランプ３は、上記車体２に締結具４により支持され、バルブ５を内有すると共にこれを支持してこのバルブ５による照射方向（車体２の後方）Ａに開口６が形成される樹脂製のランプハウジング７と、上記開口６をその後方から閉じるよう設けられ、上記バルブ５の照射光を後方に向けて透過可能とする透明（半透明含む）のレンズ８と、このレンズ８を上記ランプハウジング７の開口６の開口縁部６ａに係脱可能に係止させて、上記レンズ８をランプハウジング７に取り付ける係止具９とを備えている。
【００２１】
上記レンズ８は樹脂製で、その各部は剛性を有しているが、全体的には、多少の弾性変形が可能とされている。符号１０は、上記ランプハウジング７に着脱可能に取り付けられ、上記レンズ８をその外方から開閉可能に覆う透明樹脂製のアウタカバーである。
【００２２】
上記バルブ５の光軸１２は、ほぼ水平、かつ、後方に延びており、この光軸１２の軸方向と上記照射方向Ａとは互いにほぼ一致しており、この光軸１２をほぼ孔芯とするよう上記開口６が形成されている。なお、上記バルブ５は、その光軸１２が上記照射方向Ａに直交し、もしくは傾斜する姿勢で上記ランプハウジング７に支持されるようにしてもよい。上記レンズ８は、上記開口６を閉じるよう車体２の幅方向、かつ、上下方向に延びる板形状のレンズ本体部１４と、このレンズ本体部１４の外縁部から上記ランプハウジング７の開口６の開口縁部６ａに向かって一体的に突出するフランジ部１５とを備えている。
【００２３】
上記バルブ５による照射方向Ａに直交する視線で見た上記レンズ８の自由状態で（図１中一点鎖線）、上記レンズ８は、上記バルブ５側に円弧中心を有する円弧形状とされている。具体的には、レンズ８の外面側は円弧凸面形状となるよう形成されている。一方、このレンズ８の内面側は円弧凹面形状となるよう形成され、上記ランプハウジング７側に対面している。ここで、上記のようにレンズ８が円弧形状にされたため、ランプ３についての視覚的な立体感が向上し、これにより、ランプ３の見栄えの向上が図られている。
【００２４】
上記係止具９は、上記ランプハウジング７の開口６の開口縁部６ａの上、下部における長手方向の中途部にそれぞれ形成される左右一対の係止突起である係止部１６，１６と、上記開口６の開口縁部６ａの一側部（右側部）に形成される係止凹部である他の係止部１７と、上記視線で見て（図１）、上記レンズ８の上、下部における各フランジ部１５の長手方向の中途部から上記ランプハウジング７側に向かって一体的に突出する左右一対のフックである係止突起１８とを備えている。これら各係止突起１８は互いに同形同大とされ、上記フランジ部１５と同じ厚さの板形状をなしている。また、これら各係止突起１８の突出端部における各フック部は、上記フランジ部１５の長手方向で、それぞれ同じ方向に突出している。
【００２５】
上記レンズ８の一側部（右側部）におけるフランジ部１５の突出端が上記他の係止部１７に係止されると共に、上記レンズ８のフランジ部１５の上記長手方向の各端部側２０，２０がそれぞれ上記ランプハウジング７の開口６の開口縁部６ａに当接し、かつ、上記レンズ８の上記長手方向の中途部が上記ランプハウジング７側に向かうよう弾性変形し、つまり、平坦形状に向かうよう弾性変形した状態で、その弾性に基づく復元力により、上記各係止部１６に各係止突起１８が圧接して係脱可能に係止されている（図１中実線）。この場合、上記視線で見て（図１）、上記のように弾性変形してランプハウジング７に取り付けられたレンズ８のレンズ本体部１４の外面の半径Ｒ１は、前記自由状態とされたレンズ８のレンズ本体部１４の外面の半径Ｒ２よりも大きくなる（Ｒ１＞Ｒ２）。
【００２６】
上記係止部１６と係止突起１８との互いの係止状態は、これら両者１６，１８間の摩擦力と、上記他の係止部１７へのフランジ部１５の係止とにより維持される。また、この係止状態では、上記レンズ８のフランジ部１５の上記長手方向の中途部は、上記開口６の開口縁部６ａに当接、もしくは接近させられている。これにより、上記各係止突起１８の突出寸法は必要最小限にとどめられている。また、ランプハウジング７とレンズ８との間に無用な隙間の生じることが防止されている。
【００２７】
上記視線で見て（図１）、上記上下各フランジ部１５の長手方向の中途部から上記ランプハウジング７側に向かって一体的に一対の位置決め突起２２，２２が突設されている。これら各位置決め突起２２は、上記ランプハウジング７に対するレンズ８の左右位置をある程度位置決めするものである。なお、上記各位置決め突起２２はなくてもよい。
【００２８】
上記構成によれば、バルブ５による照射方向Ａの光軸１２に直交する視線で見た上記レンズ８の自由状態で（図１中一点鎖線）、このレンズ８を、上記バルブ５側に円弧中心を有する円弧形状とし、上記レンズ８がその円弧形状から平坦形状に向かうよう弾性変形した状態（図１中実線）で、その弾性に基づく復元力により、上記係止部１６に係止突起１８が圧接して係止されるようにしている。
【００２９】
このため、上記係止部１６と係止突起１８とによるランプハウジング７側へのレンズ８の係止は、このレンズ８自体が有する弾性を利用することにより達成される。よって、前記従来の技術では、上記係止を得る上で、係止突起を弾性的に撓ませようとして、この係止突起の突出寸法を、ある程度大きくすることが要求されたが、上記構成によれば、上記レンズ８自体の弾性を利用することにより、上記した係止突起１８の弾性的な撓みをほとんど不要にしたのであり、これにより、この係止突起１８の突出寸法を小さく抑制できる。
【００３０】
この結果、第１に、上記係止突起１８の突出方向とほぼ同じ視線でランプ３のレンズ８を見た場合（図２）、上記係止突起１８の突出寸法が小さい分、この係止突起１８の突出位置におけるレンズ８の部分の色調が濃くなることは防止される。このため、このレンズ８の部分の周りの他部分の色調が薄いとしても、このレンズ８の各部の色調が無用に不均一になるということは防止されて、ランプ３の外観上の見栄えが向上する。
【００３１】
また、第２に、上記したように、係止突起１８を弾性的に撓ませることはほとんど不要であるため、この係止突起１８を撓み易くさせようとして、この係止突起１８に脆弱部を設ける、などの複雑な加工は不要である。よって、その分、ランプ３の形成が容易にできる。
【００３２】
なお、以上は図示の例によるが、上記ランプ３は、車体２の前部に設けられるものであってもよい。また、上記係止部１６は、ランプハウジング７側である車体２に形成してもよい。また、上記バルブ５による照射方向Ａに直交する視線は、上記ランプ３の側面視に相当してもよい。また、上記各係止突起１８の各フック部は、上記フランジ部１５の長手方向で互いに対向するよう突出させてもよく、互いに離反するよう突出させてもよい。また、上記係止突起１８は単一でも、３つ以上であってもよい。
【００３３】
以下の図４，５は、実施例２，３を示している。これら各実施例は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００３４】
本発明をより詳細に説明するために、その実施例２を添付の図４に従って説明する。
【００３５】
上記係止部１６は断面円形の軸体とされている。また、上記係止突起１８は単一設けられている。
【実施例３】
【００３６】
本発明をより詳細に説明するために、その実施例３を添付の図５に従って説明する。
【００３７】
上記各係止突起１８の各フック部は、上記フランジ部１５の長手方向で互いに対向するよう突出させられている。なお、上記視線で見て（図５）、レンズ８の長手方向の各端部側２０，２０は上記ランプハウジング７に当接しなくてもよい。この場合、上記レンズ８が弾性変形した状態（図５中実線）で、その弾性に基づく復元力により、上記各係止部１６に各係止突起１８がそれぞれ圧接して係止されている。
【図面の簡単な説明】
【００３８】
【図１】実施例１を示し、図２のI−I線矢視部分断面、部分破断図である。
【図２】実施例１を示し、自動車後面の部分背面図である。
【図３】実施例１を示し、レンズと係止突起との斜視図である。
【図４】実施例２を示し、図１の一部に相当する図である。
【図５】実施例３を示し、図１の一部に相当する図である。
【符号の説明】
【００３９】
１    自動車
２    車体
３    ランプ
５    バルブ
６    開口
６ａ  開口縁部
７    ランプハウジング
８    レンズ
９    係止具
１２  光軸
１４  レンズ本体部
１５  フランジ部
１６  係止部
１８  係止突起
２０  端部側
Ａ    照射方向
Ｒ１  半径
Ｒ２  半径
【図１】
0004859246.tif 000002
【図２】
0004859246.tif 000003
【図３】
0004859246.tif 000004
【図４】
0004859246.tif 000005
【図５】
0004859246.tif 000006